(57)【要約】【課題】ドアクローザ部品同士を繰り返し相対回転させても組み立て時の初期状態を確実に維持できるドアクローザのストップ装置を提供する。【解決手段】ブラケット１に一体に設けられてリンク３の回転支軸となる枢軸１１を、ブラケット１に固着されたセレーション軸７と、カム板５を上下に移動させる操作部材６が装着された調整軸８とから構成し、セレーション軸７の正方形の角孔の係合孔７０に調整軸８の係合軸部８１を係合させることで、調整軸８はセレーション軸７に対して相対回転不能となっている。【選択図】      図２
2004324288.tif 000002
【特許請求の範囲】
【請求項１】
所定の回転軸線上に互いに回転可能に連結されてドアの開閉に応じて相対回転する一対のドアクローザ部品間の角度が所定の角度に達したときに、両ドアクローザ部品のそれ以上の相対回転を阻止することによりドアを所定の開放位置に固定するドアクローザのストップ装置において、
一方のドアクローザ部品に一体に設けられて他方のドアクローザ部品の回転支軸となる前記回転軸線上の枢軸と、
該枢軸に回転軸線方向に移動可能に且つ回転軸線まわりに回転可能に設けられ、セレーションを介して一方のドアクローザ部品と連結一体化されてドアの開閉に応じて他方のドアクローザ部品に対して相対回転する被固定部材と、
ドアが所定の開放位置に達した時に被固定部材と他方のドアクローザ部品のそれ以上の相対回転を阻止するストッパ機構と、
セレーションが噛合、解除するように被固定部材を回転軸線方向に移動させるべく枢軸に操作可能に装着された操作部材とを備え、
枢軸は、操作部材の装着された可動軸部が他の部分とは別部品にて構成され、該可動軸部は、枢軸の他の部分に、回転軸線まわりの相対回転不能な状態に回転軸線方向に係合していることを特徴とするドアクローザのストップ装置。
【請求項２】
枢軸は、一方のドアクローザ部品に固着された固定軸部と、操作部材が装着された可動軸部とから構成され、該可動軸部は、固定軸部に、回転軸線まわりの相対回転不能な状態に回転軸線方向に係合している請求項１記載のドアクローザのストップ装置。
【請求項３】
前記固定軸部には回転軸線方向に沿って非円形の係合孔が形成され、可動軸部には係合孔に係合する係合部が設けられている請求項２記載のドアクローザのストップ装置。
【請求項４】
係合孔は貫通孔であり、可動軸部は、係合部より一端側に雄ネジ部を有し、係合孔から突出する雄ネジ部にナットが螺着されることによって可動軸部の回転軸線方向の相対移動が阻止されている請求項３記載のドアクローザのストップ装置。
【請求項５】
係合孔は多角形の角孔である請求項３又は４記載のドアクローザのストップ装置。
【請求項６】
所定の回転軸線上に互いに回転可能に連結されてドアの開閉に応じて相対回転する一対のドアクローザ部品間の角度が所定の角度に達したときに、両ドアクローザ部品のそれ以上の相対回転を阻止することによりドアを所定の開放位置に固定するドアクローザのストップ装置において、
一方のドアクローザ部品に一体に設けられて他方のドアクローザ部品の回転支軸となる前記回転軸線上の枢軸と、
該枢軸に回転軸線方向に移動可能に且つ回転軸線まわりに回転可能に設けられ、セレーションを介して一方のドアクローザ部品と連結一体化されてドアの開閉に応じて他方のドアクローザ部品に対して相対回転する被固定部材と、
ドアが所定の開放位置に達した時に被固定部材と他方のドアクローザ部品のそれ以上の相対回転を阻止するストッパ機構と、
セレーションが噛合、解除するように被固定部材を回転軸線方向に移動させるべく枢軸に操作可能に装着された操作部材とを備え、
枢軸は、一方のドアクローザ部品に、回転軸線まわりの相対回転不能な状態に回転軸線方向に係合していることを特徴とするドアクローザのストップ装置。
【発明の詳細な説明】
【０００１】
【発明の属する技術分野】
本発明は、ドアを所望の開度で停止させるためのドアクローザのストップ装置の改良に関する。
【０００２】
【従来の技術】
この種のストップ装置は、例えば、枠体に固定されるブラケットと該ブラケットに回転可能に連結されたリンクとの枢着部分に設けられ、ブラケットに対してリンクが所定の角度に達したときにリンクのそれ以上の回転を阻止することによってドアをその開放位置に固定するように構成されている。
【０００３】
具体的には、ブラケットに一体に設けられた枢軸に被固定部材が軸線方向に移動可能に且つ軸線まわりに回転可能に設けられ、該被固定部材はセレーションによりブラケットに連結一体化され、ドアの開閉に応じてリンクは、ブラケットと被固定部材に対して相対回転する。そして、ドアが所定の開放位置に達すると、リンクに設けられたストッパ機構が被固定部材とリンクとを連結一体化させて、ブラケットに対するリンクのそれ以上の回転を阻止する。
【０００４】
かかるストップ装置においては、被固定部材を上下に移動させることにより、セレーションを噛合させたり逆に解除させたりすることができる。従って、セレーションの解除状態で被固定部材を回転させることで、ブラケットに対する被固定部材の位相を変更させることができ、これにより、ドアの開放位置を変更することができる。
【０００５】
このようなドアの開放位置の変更は、従来ではネジ（ボルト）を緩めることにより行われていたが、近年では、枢軸に操作部材を回転操作可能に設けた構成のものも存在し、本出願人は操作部材を使用するこの種のストップ装置を開発し、提案している（下記特許文献１）。
【０００６】
この種のストップ装置においては、操作部材を所定の位置に操作することにより、被固定部材が枢軸の一端側に移動してセレーションが噛合し、これにより被固定部材はブラケットと連結一体化する。このように操作部材を操作することで被固定部材を上下に移動させてセレーションを噛合させたり解除させたりすることができるので、従来のネジの締め付けによって被固定部材をブラケットに固定する構成に比してドアの開放位置を容易に、しかも確実に変更できるという利点がある。
【０００７】
【特許文献１】
特開平１１−５０７３９号公報
【０００８】
【発明が解決しようとする課題】
ところで、枢軸は、組み立て時における組み立て性等の問題から、ブラケットにカシメ等により固定された上側部分と、組み立て時に上側部分に下方からねじ込まれた下側部分とから構成されることがある。下側部分の下端部には操作部材が取り付けられていて、セレーションが正常に噛合し解除する位置まで下側部分は上側部分にねじ込まれてその位置でナット等により固定される。
【０００９】
しかしながら、ドアの開閉に伴ってリンクが枢軸を中心として回転すると、枢軸の下側部分にはこれを回転させようとする力が作用し、その力によって万一下側部分が回転して緩むと、ドアが確実に停止しなかったり、セレーションの噛み合い不良が発生したりする。下側部分はナット等で上側部分に固定されているため通常は相対回転は起こり得ないが、完全なメンテナンスフリーを目指すための更なる工夫が求められる。
【００１０】
かかる問題は、上記特許文献１に記載された構成の他にも、枢軸のうち操作部材の装着された部分若しくは枢軸の全体が組み立て時にブラケット側の所定部分に螺着される構成のものにも同様に生じ得る。
【００１１】
それゆえに本発明は、上記従来の問題点に鑑みて、ドアクローザ部品同士を繰り返し相対回転させても組み立て時の初期状態を確実に維持できるドアクローザのストップ装置を提供することを課題とする。
【００１２】
【課題を解決するための手段】
本発明は、上記課題を解決すべくなされたものであり、本発明に係るドアクローザのストップ装置は、所定の回転軸線上に互いに回転可能に連結されてドアの開閉に応じて相対回転する一対のドアクローザ部品間の角度が所定の角度に達したときに、両ドアクローザ部品のそれ以上の相対回転を阻止することによりドアを所定の開放位置に固定するドアクローザのストップ装置において、一方のドアクローザ部品に一体に設けられて他方のドアクローザ部品の回転支軸となる前記回転軸線上の枢軸と、該枢軸に回転軸線方向に移動可能に且つ回転軸線まわりに回転可能に設けられ、セレーションを介して一方のドアクローザ部品と連結一体化されてドアの開閉に応じて他方のドアクローザ部品に対して相対回転する被固定部材と、ドアが所定の開放位置に達した時に被固定部材と他方のドアクローザ部品のそれ以上の相対回転を阻止するストッパ機構と、セレーションが噛合、解除するように被固定部材を回転軸線方向に移動させるべく枢軸に操作可能に装着された操作部材とを備え、枢軸は、操作部材の装着された可動軸部が他の部分とは別部品にて構成され、該可動軸部は、枢軸の他の部分に、回転軸線まわりの相対回転不能な状態に回転軸線方向に係合していることを特徴とする。
【００１３】
該構成のストップ装置にあっては、操作部材は枢軸の可動軸部に装着されているが、組み立ての際、可動軸部を枢軸の他の部分に回転軸線方向に平行移動させて係合させる。このように可動軸部を枢軸の他の部分に組み付けることにより操作部材が枢軸の回転軸線方向の所定位置に位置する。即ち、組み立て後において操作部材を操作した際に、その操作によってセレーションが正常に噛合、解除できる位置に、操作部材を位置させることができる。そして、可動軸部は、枢軸の他の部分に回転軸線方向に係合して他の部分に対して相対回転不能となっているので、一方のドアクローザ部品に対して他方のドアクローザ部品が相対回転した際にその回転によって可動軸部にトルクが作用しても、その構造上、可動軸部ひいては操作部材は一方のドアクローザ部品に対して相対回転するということはない。
【００１４】
また、枢軸を、一方のドアクローザ部品に固着された固定軸部と、操作部材が装着された可動軸部とから構成し、該可動軸部を、固定軸部に、回転軸線まわりの相対回転不能な状態に回転軸線方向に係合させる構成とすることができる。即ち、枢軸全体を一方のドアクローザ部品とは別部品にて構成することにより、枢軸及び一方のドアクローザ部品の構成の自由度が高くなり、両者共に容易に製造することができるため、結果として高い耐久性を容易に確保できる。
【００１５】
特に、前記固定軸部には回転軸線方向に沿って非円形の係合孔が形成され、可動軸部には係合孔に係合する係合部が設けられていることが好ましく、係合孔と係合部という簡単な構造であるので製造、組み立てが容易である。
【００１６】
また、係合孔は貫通孔であり、可動軸部は、係合部より一端側に雄ネジ部を有し、係合孔から突出する雄ネジ部にナットが螺着されることによって可動軸部の回転軸線方向の相対移動が阻止されていることが好ましい。ナットを使用することで分解が容易であり、部材の交換の必要性が生じた場合でもナットを外して容易にその部材を交換できる。
【００１７】
更に、係合孔は多角形の角孔であることが好ましく、多角形の複数の角部でトルクを分散して受け止めることができるので長期の使用に対する耐久性に優れている。
【００１８】
また、本発明に係るドアクローザのストップ装置は、所定の回転軸線上に互いに回転可能に連結されてドアの開閉に応じて相対回転する一対のドアクローザ部品間の角度が所定の角度に達したときに、両ドアクローザ部品のそれ以上の相対回転を阻止することによりドアを所定の開放位置に固定するドアクローザのストップ装置において、一方のドアクローザ部品に一体に設けられて他方のドアクローザ部品の回転支軸となる前記回転軸線上の枢軸と、該枢軸に回転軸線方向に移動可能に且つ回転軸線まわりに回転可能に設けられ、セレーションを介して一方のドアクローザ部品と連結一体化されてドアの開閉に応じて他方のドアクローザ部品に対して相対回転する被固定部材と、ドアが所定の開放位置に達した時に被固定部材と他方のドアクローザ部品のそれ以上の相対回転を阻止するストッパ機構と、セレーションが噛合、解除するように被固定部材を回転軸線方向に移動させるべく枢軸に操作可能に装着された操作部材とを備え、枢軸は、一方のドアクローザ部品に、回転軸線まわりの相対回転不能な状態に回転軸線方向に係合していることを特徴とする。
【００１９】
該構成のストップ装置にあっては、操作部材が装着された枢軸が、一方のドアクローザ部品に、回転軸線まわりの相対回転不能な状態に回転軸線方向に係合しているので、一方のドアクローザ部品に対して他方のドアクローザ部品が相対回転した際にその回転によって枢軸にトルクが作用しても、その構造上、枢軸ひいては操作部材が一方のドアクローザ部品に対して相対回転するということはない。
【００２０】
尚、以上のような本発明に係るストップ装置においては、相対回転不能な状態に回転軸線方向に係合する構成ゆえに、操作部材の一方のドアクローザ部品に対する回転軸線まわりの向きは、係合の態様によって決められる一つ若しくは複数に限定される。即ち、操作部材は、一方のドアクローザ部品に対して予め設定された一つ若しくは複数の向きに必ず組み付けられる。例えば、係合孔を正方形とした場合には９０度毎の四つの向きにのみ組み付けられる。更に、治具等を用いることで四つのうちの一つの向きにのみ組み付けることも可能である。従来のように螺着させる構造においては、ネジの始端位置のバラツキや各部材の寸法誤差等により、操作部材が一方のドアクローザ部品に対して何れの向きに組み付けられるかを定めることは構造上不可能である。これに対して本発明に係るストップ装置においては、相対回転不能な状態に回転軸線方向に係合する構成ゆえに、操作部材は係合の態様によって予め定まる一つ若しくは複数の向きのみとなる。従って、ドアクローザ毎に操作部材の向きが区々になることも抑制でき、操作しにくい向きに操作部材が位置するという不具合も抑制され、逆に操作しやすい位置のみに操作部材を配置させることも構造上可能であり、結果として操作性も改善され、また使用状態の外観体裁も良好なものとなる。
【００２１】
【発明の実施の形態】
以下、本発明のストップ装置の一実施形態について図面を参酌しつつ説明する。
図１には本発明に係るストップ装置が組み込まれたドアクローザの使用状態を示している。該ドアクローザは、ドアＤの枠体の上枠Ｗに下方から取り付けられるブラケット１と、ドアＤに取り付けられるドアクローザ本体２と、ブラケット１とドアクローザ本体２とを連結するためのリンク３及びアーム４とを備えている。ブラケット１とリンク３とは枢着部Ａで、リンク３とアーム４とは枢着部Ｂで、アーム４とドアクローザ本体２とは枢着部Ｃで、それぞれ上下方向の回転軸線上に互いに相対的に回転可能に連結されている。そして、ドアＤが開かれるとドアクローザ本体２に内蔵された図示しないバネが圧縮され、そのバネの復元力によってドアＤの閉じ動作を行う。尚、ブラケット１とリンク３、リンク３とアーム４、及び、アーム４とドアクローザ本体２は、ドアＤの開閉に応じて互いに相対回転する一対のドアクローザ部品に相当する。
【００２２】
かかるドアクローザには、ドアＤを所定の開放位置に固定するためのストップ装置が設けられており、本実施形態においては、ブラケット１とリンク３との連結部分（枢着部Ａ）に設けられている。以下、該枢着部Ａに設けられたストップ装置の一例を図２乃至図５を参酌して説明するが、他の枢着部Ｂ，Ｃに設けることも無論できる。
【００２３】
ストップ装置は、図２に示すように、板状のブラケット１（一方のドアクローザ部品）に一体に設けられてリンク３（他方のドアクローザ部品）を直接又は他の部材を介して回転可能に支持する枢軸１１と、該枢軸１１に上下に移動可能に且つ回転可能に外装着され、セレーションを介してブラケット１と連結一体化される被固定部材としてのカム板５と、ドアＤが所定の開放位置に達した時にリンク３のそれ以上の回転を阻止するストッパ機構と、カム板５の下側に位置して枢軸１１に上下に移動可能に且つ回転可能に該装着された円筒状のカム押さえ１２（円筒体）と、カム板５をカム押さえ１２を介して上下に移動させるために枢軸１１に回転操作可能に取り付けられた操作部材６とを備えている。
【００２４】
前記枢軸１１は、ブラケット１とリンク３の回転軸線上に配置され、その上端側がブラケット１に不離一体に固定されてブラケット１から下方に鉛直に延びてリンク３の回転支軸となっている。そして、枢軸１１は、ブラケット１の下方に位置するリンク３のブラケット側端部、カム板５、カム押さえ１２を順に貫通し、カム押さえ１２から下方に突出したその下端部に前記操作部材６が取り付けられている。
【００２５】
かかる枢軸１１は複数の部材から構成されている。具体的には、ブラケット１にカシメ等により固着された固定軸部としてのセレーション軸７（第一の軸）と、該セレーション軸７に下方から連結された可動軸部としての調整軸８（第二の軸）とから構成され、該調整軸８の下端部に操作部材６が装着されている。このようにブラケット１に固着された部分と操作部材６が装着された部分とを別部材から構成することにより、両部分の連結時にブラケット１と操作部材６との上下間隔（枢軸１１の軸線方向に沿った両者の離間距離）を調整して後述するセレーションが良好に噛み合う位置に操作部材６を位置させることができる。
【００２６】
該セレーション軸７は、その上端部がカシメ等によりブラケット１に固着され、その下端部にはセレーション軸７の下方に位置するカム板５を連結するためのセレーションを有している。詳細には、セレーション軸７の下端面周縁部には径方向に沿った横セレーション部９ａが形成されている。該横セレーション部９ａは、径方向に伸びる歯部が放射線状に並設されたものである。また、セレーション軸７の外周面下端部には縦セレーション部１０ａが形成されている。該縦セレーション部１０ａは、軸線方向（上下方向）に伸びる歯部が周方向に並設されたものである。このように、セレーション軸７は、セレーションとして、横セレーション部９ａと縦セレーション部１０ａとを備えている。
【００２７】
かかるセレーション軸７の中心には上下に貫通した係合孔７０が形成されている。該係合孔７０は正方形の角孔であり、後述する調整軸８の係合軸部８１の断面形状と略同じ形状であって両者は上下方向に係合するように構成されている。そして、この係合孔７０を下側から上側に向けて貫通する調整軸８は、セレーション軸７と同軸且つそれより小径であり、図３及び図４にも示すように、上端部側から順に、雄ネジ部８０、断面視正方形の係合軸部８１（係合部）、円柱部８２、ヘッド部８３を有している。係合軸部８１はセレーション軸７の係合孔７０と係合しているが、係合軸部８１と係合孔７０は共に正方形であるので、係合軸部８１は上下方向に所定長さを有する四つの平面を持ち、係合孔７０の壁面も同様に上下方向に所定長さを有する四つの平面から構成される。また、係合孔７０から上方に突出する雄ネジ部８０にはワッシャ８４を介してナット８５が螺着され、該ナット８５により調整軸８はセレーション軸７に固定されて下方への抜け落ちが防止されている。更に、円柱部８２はその外周面で前記カム板５及びカム押さえ１２を上下に移動可能に且つ回転可能に支持する。尚、後述する皿バネ１３とワッシャ１４も円柱部８２に外装されている。そして、ヘッド部８３は、円柱部８２よりも径方向に膨出して大きい。該ヘッド部８３には、回転軸線と直交する方向、即ち、水平方向にピン６０が差し込まれ、該ピン６０に前記操作部材６が回転可能に支持されている。該ピン６０は、その両端部が調整軸８から外方に突出するように調整軸８を貫通しているが、例えば、１８０度対向した位置に別々にピン６０を挿着した構成としてもよい。尚、操作部材６の詳細な構成については後述する。
【００２８】
一方、セレーション軸７の下方に配置されたカム板５の上面には、円形の連結用凹部５１が形成され、該連結用凹部５１にセレーション軸７の下端部が嵌り込む構成となっている。該連結用凹部５１に、セレーション軸７のセレーションと噛合するセレーションが形成されている。該カム板５のセレーションもセレーション軸７と同様に、横セレーション部９ｂと縦セレーション部１０ｂとを備えている。即ち、連結用凹部５１の底面には横セレーション部９ｂが、連結用凹部５１の壁面には縦セレーション部１０ｂがそれぞれ形成されている。従って、連結用凹部５１にセレーション軸７の下端部が嵌り込むことにより、縦横両セレーション部９ａ，９ｂ，１０ａ，１０ｂがそれぞれ噛合し、これにより、カム板５はセレーション軸７を介してブラケット１に連結一体化され、両者の相対回転は不可能となる。
【００２９】
尚、セレーション軸７とカム板５との間に、セレーション軸７からカム板５を離反させるようにカム板５をその弾性力により下方に付勢するバネ（弾性部材）を介装してもよい。
【００３０】
そして、カム板５の下方に配置されたカム押さえ１２は、セレーション軸７と略同一径であって、その上端面がカム板５の下面に当接する。また、カム押さえ１２の外周面下端部には鍔部１２ａが全周に亘って形成され、該鍔部１２ａにリンク３の下面が当接することによりリンク３の下方への抜け落ちが防止される。
【００３１】
また、カム押さえ１２の下端面には皿バネ１３が嵌り込む凹部が形成され、該凹部に皿バネ１３が下方から部分的に収容されている。本実施形態では皿バネ１３は二枚設けられている。そして、該皿バネ１３の下方には、皿バネ１３と略同径の薄板リング状のワッシャ１４が介装されている。
【００３２】
一方、リンク３のブラケット側端部は水平方向のスリットを形成するように上下に二股状に分岐し、互いに対向する二股上部３ａと二股下部３ｂの間に前記カム板５が介装されている。二股上部３ａ及び二股下部３ｂには、リンク３とブラケット１間の回転軸線を中心とした略同一径の貫通孔が形成されている。そして、二股上部３ａの貫通孔には円筒状の上ブッシュ１５を介してセレーション軸７が挿入され、二股上部３ａはセレーション軸７に回転可能に支持される。また、二股下部３ｂの貫通孔には下ブッシュ１６を介して前記カム押さえ１２が下方から挿入され、二股下部３ｂはカム押さえ１２を介して調整軸８に回転可能に支持される。尚、上下のブッシュ１５，１６は摺動性の良い材質から構成することが好ましく、例えば合成樹脂から構成することができる。二股下部３ｂとカム押さえ１２との間に下ブッシュ１６が介装されているが、ドアＤの開閉に応じて二股下部３ｂが回転することで、下ブッシュ１６、カム押さえ１２を介して調整軸８には回転軸線まわりのトルクが作用する。
【００３３】
更に、リンク３には、鋼球１７とコイルバネ１８が内蔵され、鋼球１７はその一部が前記スリットに略水平方向に突出し、コイルバネ１８はその弾性力により鋼球１７をカム板５側に付勢している。また、カム板５の外周面の所定位置には切欠部５ａが形成され、ドアＤが所定の開度に達したときに切欠部５ａに鋼球１７が嵌り込み、これによってカム板５とリンク３とが一体化してカム板５に対するリンク３のそれ以上の相対回転が不能となってドアＤがその開放位置に保持される。かかるカム板５の切欠部５ａ、鋼球１７、及びコイルバネ１８からストッパ機構が構成されているが、ストッパ機構はこれ以外に種々の構成が採用できる。
【００３４】
ところで、カム板５はリンク３のスリット内に位置する一方、操作部材６はリンク３の下方に位置する。即ち、カム板５と操作部材６との間にはリンク３の二股下部３ｂが介在しているので、操作部材６の水平方向のピン６０まわりの回動動作によってカム板５を上下に移動させるために、カム板５と操作部材６との間にカム押さえ１２が介装され、カム押さえ１２の上下の移動を介してカム板５を上下に移動させる構成とされている。
【００３５】
このように操作部材６は、略水平方向に伸びるピン６０を支点として上下方向に所定角度範囲内で回転する構成となっている。詳細には、図２に示すように操作部材６の先端が略水平状態となる第一の位置と、図５（ロ）に示すように前記第一の位置から略１８０度回転して操作部材６の先端が反対側を向いた第二の位置との間を回転できる構成である。また、操作部材６を第一の位置に操作すると、カム押さえ１２と共にカム板５が上昇してセレーションが噛合し、よってカム板５はブラケット１と一体化される。その一方、操作部材６を第一の位置から略９０度下方に回転させた図５（イ）に示す第三の位置まで操作すると、上昇していたカム板５はカム押さえ１２と共に所定量下降してセレーションは解除される。尚、本実施形態では、操作部材６は第一の位置においてブラケット１と略同じ向きになるように前記係合軸部８１が係合孔７０に係合されている。従って、操作部材６は第二の位置においてはブラケット１とは回転軸線まわりに略１８０度対向した向きとなる。尚、第三の位置においては操作部材６はその先端を下方に向ける。
【００３６】
このように操作部材６を、第一の位置から第三の位置へ、第三の位置から第一の位置へと略９０度回転操作することでカム押さえ１２を介してカム板５が上下に所定量移動するが、このカム押さえ１２やカム板５の上下移動は、操作部材６に設けられたピン６０を中心としたカム面１９による。該カム面１９は、ワッシャ１４を介して皿バネ１３を押圧してその皿バネ１３の弾性力によりカム押さえ１２を上方に操作部材６を下方に各々付勢するための内カム面１９ｂと、カム押さえ１２の下面に当接して該カム押さえ１２をカムフォロアとして上下させるための外カム面１９ａとからなる。
【００３７】
操作部材６は、図４のように調整軸８を左右から挟み込むように、その基端部中央には切欠２１が形成されている。そして、略板状の操作部材６の片面には、調整軸８の周りに略半円状の凹部が形成され、該凹部の底面を一部としてピン６０まわりに内カム面１９ｂが操作部材６の基端部側に延設されている。該略半円状の凹部に前記ワッシャ１４が第一の位置において嵌り込むようになっている。その略半円状の凹部の周囲には周壁部２０が同様に略１８０度に亘って円弧状に形成されており、周壁部２０の上面を一部として外カム面１９ａもピン６０まわりに操作部材６の基端部側に延設されている。
【００３８】
更に、操作部材６には、切欠２１に開口する丸孔が切欠２１から操作部材６の先端に向けて所定深さ穿設されている。該丸孔には、付勢手段としてのコイルバネ２４によって切欠２１側に付勢された係合ボール２５が挿入されている。即ち、コイルバネ２４による係合ボール２５への付勢力は、ピン６０に向けて作用している。そして、該付勢力によって、係合ボール２５は常時調整軸８に押し付けられている。
【００３９】
調整軸８のヘッド部８３の下面８３ａはピン６０を中心とした曲面であって、該曲面の所定位置には操作部材６が第一の位置に位置した際に係合ボール２５が係合する係合凹部２６が形成されている。操作部材６の回転に伴って係合ボール２５は曲面を走行するが、係合ボール２５が係合凹部２６に係合することにより操作部材６は第一の位置に保持され、また、係合する際に所定のクリック感が手に伝わるので見えにくい場合でも確実に第一の位置に操作することができる。該係合凹部２６は少なくとも図２に示すように操作部材６が第一の位置に位置したときに係合ボール２５が当接する箇所に設けられることが好ましいが、第二の位置や第三の位置にも同様に設けることができる。
【００４０】
以上の構成からなるストップ装置は、図３に示すように、リンク３のスリット内にカム板５を挿入し、二股上部３ａの貫通孔に上ブッシュ１５とブラケット１に固着されたセレーション軸７とを上方から挿入し、二股下部３ｂの貫通孔には下ブッシュ１６とカム押さえ１２とを下方から挿入し、更にその下方から操作部材６が装着された調整軸８を挿通させる。その際、操作部材６は、例えば係合凹部２６に係合ボール２５が係合する第一の位置に位置させておく。そして、係合孔７０は正方形であるので、ブラケット１に対する操作部材６の回転軸線まわりの向きは四つのうちから選択することができるが、ブラケット１と操作部材６とが同じ向きになるようにしてセレーション軸７の係合孔７０に調整軸８の係合軸部８１を係合させる。この調整軸８の組み付けに際しては、この向きに組み付けしやすいように治具等を使用することもできるが、本実施形態では係合孔７０と係合軸部８１とが正方形であって、ブラケット１と同じ向きに操作部材６をセットすればよいので、治具を使用せずとも容易にその向きに組み付けることができる。そして、このようにセレーション軸７を上方に貫通した調整軸８は、その雄ネジ部８０がセレーション軸７の係合孔７０の上側開口から上方に突出し、その雄ネジ部８０にワッシャ８４を介してナット８５を螺着させる。そして、ナット８５を締め込むことで調整軸８はブラケット１に対して相対的に上昇し、最終的には図２に示すように操作部材６の周壁部２０の上面がカム押さえ１２の下面を押し上げてセレーションが噛合するまで調整軸８は上昇してその位置で止まる。このように、ナット８５により調整軸８の下方への抜け止めがなされている。また、セレーションが噛合するまでナット８５を締め込めばよいので、部材の寸法にバラツキがあっても、そのバラツキが吸収されて、セレーションが噛合し解除する正規の位置に操作部材６を確実に位置させることができる。しかも、係合軸部８１が係合孔７０に相対回転不能に係合しているので、ナット８５をこのように締め込む時において調整軸８が一緒に回転するという問題がなく、ナット８５のみを回転させて容易に組み立てることができ、また、ナット８５の締め込み操作によって操作部材６とブラケット１との位相が変化するということもない。尚、係合ボール２５が係合凹部２６に係合しているので、調整軸８をセレーション軸７に組み付ける作業中において操作部材６が第三の位置側に回転することが防止され、この点でも作業効率が良い。
【００４１】
このようにしてドアクローザは組み立てられるが、何れのドアクローザにおいても操作部材６はブラケット１に対して所定の向きにある。即ち、ドアクローザ間のばらつきがない。従って、ドアクローザ単体としての外観体裁も良い。また、図１のようにドアＤ等に取り付けられた使用状態においても、同様に良好な外観体裁が得られるうえに、何れのドアクローザを取り付けても操作部材６は常に使用しやすい向きとなる。つまり、ドアＤ等への取り付け状態において使用しにくい向きに操作部材６が位置するという不良の発生を防止することができる。尚、ブラケット１と操作部材６の向きが同じであるので、操作部材６の現状の状態の把握も容易である。尚、係合軸部８１が断面視正方形であるので、部材を設計変更することなく、他の三つの向きのバリエーションを持たせることもできる。
【００４２】
一方、ドアクローザは通常の使用状態においては図２に示す第一の位置に操作部材６が位置してセレーションは噛合し、従ってカム板５はブラケット１に一体の状態にある。この状態においてドアＤを開閉すると、それに伴ってリンク３が回転することにより調整軸８にはカム押さえ１２を介して回転軸線まわりのトルクが作用する。しかしながら、調整軸８はその断面視正方形の係合軸部８１がセレーション軸７の係合孔７０に係合しているので、トルクが作用しても回転するということはない。特に、係合孔７０が正方形の角孔であって係合軸部８１も断面視正方形であるので、上記トルクを合計四つの角部８１ａで分散して受け止めることができ、長期の使用に対する耐久性に優れている。
【００４３】
また、セレーションが縦セレーション部１０ａ，１０ｂと横セレーション部９ａ，９ｂの双方を有しているため、双方の利点を併せ持つと共に互いに補い合う関係にある。例えば、横セレーション部９ａ，９ｂのみの場合には、ドアＤの開閉に応じてカム板５の切欠部５ａに鋼球１７が係合したりその切欠部５ａから鋼球１７が抜け出したりする際に、カム板５には枢軸１１まわりの力が作用する。この力はカム板５を回転させようとする力であって、これにより横セレーション部９ａ，９ｂには浮き上がる方向の力が生じ、カム板５の連結状態が不安定になりやすい。これに対して、本実施形態のように横セレーション部９ａ，９ｂに加えて縦セレーション部１０ａ，１０ｂをも有する構成では、カム板５を回転させようとする力を縦セレーション部１０ａ，１０ｂで確実に受け止めることができるため、横セレーション部９ａ，９ｂにおける浮き上がりを防止でき、カム板５の連結状態を確実に維持することができる。
【００４４】
また、縦セレーション部１０ａ，１０ｂが噛み合うことによって横セレーション部９ａ，９ｂの噛み合い位置の案内となるため、確実に且つスムーズに横セレーション部９ａ，９ｂを噛み合わせることができる。かかる噛み合いの際、縦セレーション部１０ａ，１０ｂの噛み合いはじめの部分をテーパ状とすることが好ましく、これにより一層スムーズに噛み合わせることができる。詳細には、縦セレーション部１０ａの各歯部の下端部を先細り形状にすると共に、各歯部の外面下端部を内側に向かうテーパ面とする。
【００４５】
一方、縦セレーション部１０ａ，１０ｂのみの場合には、互いの歯部同士の間に生じる周方向のガタによって異音が発生しやすい。また、セレーション同士を噛み合わせるために、カム板５の軸線方向の移動量を横セレーション部９ａ，９ｂのみの場合に比して大きく設定することも強度上必要となり、セレーションを解除しにくい。これに対して本実施形態のように縦セレーション部１０ａ，１０ｂと横セレーション部９ａ，９ｂとを組み合わせた構成では、横セレーション部９ａ，９ｂによって前記周方向のガタの発生が防止される。しかも、横セレーション部９ａ，９ｂをも設けることによって、縦セレーション部１０ａ，１０ｂのみの場合に比して縦セレーション部１０ａ，１０ｂの長さを相対的に短く設定することが強度上可能となり、従ってカム板５の上下の移動量を相対的に小さくすることができる。従って、セレーションの解除が容易となる。
【００４６】
尚、本実施形態では、操作部材６が略１８０度の範囲で回転する構成とされているが、例えば、第一の位置と第三の位置との間の略９０度のみ回転する構成としてもよく、それ以外の範囲であっても無論よい。また、セレーションが噛合する第一の位置における操作部材６の姿勢についても、上述したような略水平姿勢には限らず、逆に上述した第二の位置のような鉛直下方姿勢としてもよく、その姿勢についても限定されない。
【００４７】
また、調整軸８の下方への抜け防止の手段についても適宜設計変更可能であり、例えば、側方から止めネジを通してセレーション軸７に調整軸８を固定したりしてもよい。但し、ナット８５により調整軸８を上方から抜け止めすることにより、使用によりカム板５等の交換が必要になっても容易に分解して交換することができるうえに、ナット８５が回転軸線上に位置するのでリンク３の回転の邪魔になることもなく、また、ナット８５を締め込むことでセレーションが正常に噛合、解除する位置に操作部材６を組み付けることができるという利点もある。尚、調整軸８がセレーション軸７を貫通する構成としたが、貫通しない構成であってもよい。
【００４８】
更に、係合軸部８１と係合孔７０の形状についても上記正方形には限定されない。正方形や正六角形や正八角形等の正多角形としたり、長方形や菱形等にすることも無論できる。また、図６（イ）、（ロ）のように、円の一部を直線状に切り欠いた断面形状としたり、図６（ハ）のように、調整軸８に回り止めのピン８６を差し込んで係合軸部８１を構成したりしてもよい。また、係合軸部８１と係合孔７０にスプラインやセレーションを形成してよい。何れにしても、係合軸部８１と係合孔７０を非円形とすることにより、両者は相対回転不能となる態様で回転軸線方向に係合する。
【００４９】
また、枢軸１１をセレーション軸７と調整軸８とから構成したが、三つ以上の軸を回転軸線方向に連結した構成であってもよい。また、セレーション軸７をブラケット１とは別部品とするのではなく、例えば成形や絞り加工等によりブラケット１の下面にセレーション軸７を突設させてブラケット１とセレーション軸７を一つの部品から構成してもよい。
【００５０】
更に、セレーションを縦セレーションや横セレーションの何れか一方のみで構成してもよい。また、そのセレーションを設ける箇所もセレーション軸７の下端部以外の箇所であってもよく、例えばブラケット１の下面に設けてもよい。
【００５１】
また、ブラケット１と一体のセレーション軸７に係合孔７０を設けると共に調整軸８に係合軸部８１を設けた構成について説明したが、例えばブラケット１に係合孔７０を設けて枢軸１１にその係合孔７０に係合する係合軸部８１を設け、ブラケット１の係合孔７０に枢軸１１の係合軸部８１を下方から回転軸線方向に係合させることにより、枢軸１１をブラケット１に相対回転不能にさせてもよい。
【００５２】
更に、操作部材６の形状や構成についても種々変更可能であって、上述したような上下方向に（回転軸線と直交する軸線まわりに）回転操作する構成の他にも例えば枢軸１１まわりに回転操作する構成であってもよい。また、回転操作以外に、水平方向のスライド操作や上下方向のスライド操作等であってもよい。また、カム押さえ１２を介してカム板５を上下に移動させるように構成されているが、カム板５を直接上下に移動させるような構成であってもよい。
【００５３】
【発明の効果】
以上のように、本発明に係るストップ装置にあっては、操作部材の装着された枢軸が、部分的にあるいは全体として一方のドアクローザ部品側に回転軸線まわりに相対回転不能な状態に回転軸線方向に係合した構成であるので、他方のドアクローザ部品が回転軸線まわりに回転して枢軸にトルクが作用しても構造上枢軸が回転することはない。従って、長期の使用によっても操作部材の操作によってセレーションが確実に噛合、解除し、初期の性能が長期に亘って維持される。
【図面の簡単な説明】
【図１】本発明のストップ装置が組み込まれたドアクローザの全体構成を示す斜視図。
【図２】本発明の一実施形態におけるストップ装置を示す断面図であって、操作部材が第一の位置にある状態を示す図。
【図３】同ストップ装置の分解斜視図。
【図４】同ストップ装置に使用されている調整軸の斜視図。
【図５】同ストップ装置の断面図であって、（イ）は図２の状態から操作部材を第三の位置に操作した状態を示し、（ロ）は図２の状態から操作部材を第二の位置まで操作した状態を示す。
【図６】（イ）乃至（ハ）は他の実施形態におけるストップ装置の要部概略図。
【符号の説明】
１…ブラケット（一方のドアクローザ部品）、３…リンク（他方のドアクローザ部品）、３ａ…二股上部、３ｂ…二股下部、５…カム板（被固定部材）、５ａ…切欠部（ストッパ機構）、６…操作部材、７…セレーション軸（固定軸部）、８…調整軸（可動軸部）、９ａ，９ｂ…横セレーション部、１０ａ，１０ｂ…縦セレーション部、１１…枢軸、１２…カム押さえ、１２ａ…鍔部、１３…皿バネ、１４…ワッシャ、１５…上ブッシュ、１６…下ブッシュ、１７…鋼球（ストッパ機構）、１８…コイルバネ（ストッパ機構）、１９…カム面、１９ａ…外カム面、１９ｂ…内カム面、２０…周壁部、２１…切欠、２４…コイルバネ、２５…係合ボール、２６…係合凹部、５１…連結用凹部、６０…ピン、７０…係合孔、８０…雄ネジ部、８１…係合軸部（係合部）、８２…円柱部、８３…ヘッド部、８４…ワッシャ、８５…ナット
【図１】
2004324288.tif 000003
【図２】
2004324288.tif 000004
【図３】
2004324288.tif 000005
【図４】
2004324288.tif 000006
【図５】
2004324288.tif 000007
【図６】
2004324288.tif 000008